(57)【要約】  【課題】  免震住宅に設置する排水管系統において、免震構造を採用する配管部分を最小限とし、排水管系統のほとんどに汎用の管材を用いることができる免震住宅用管継手を提供する。  【解決手段】  基礎５１上に免震装置５４を介して支持された建物５１に設置されている水回り設備に接続された排水管１２と、基礎５１に配設された排水主管１３とを免震住宅用管継手１１で接続する。免震住宅用管継手１１は、一端が排水管１２に接続される排水管側連結用直管１４と、一端が排水主管１３に接続される排水主管接続側連結用直管１５と、連結用直管１４，１５の他端同士を接続するエルボ１６とを屈曲可能な弾性体でそれぞれ形成する。エルボ１６の両端と両連結用直管１４，１５の他端とを硬質連結部材１７でそれぞれ接続するとともに、硬質連結部材１７を、基礎面に対して移動可能な支持脚１９により支持する。【選択図】  図１
2006322194.tif 000002
【特許請求の範囲】
【請求項１】
基礎上に免震装置を介して支持された建物に設置されている水回り設備に接続された排水管と、基礎に配設された排水主管とを接続するための免震住宅用管継手において、一端が前記排水管に接続される排水管側連結用直管と、一端が前記排水主管に接続される排水主管接続側連結用直管と、両連結用直管の他端同士を接続するエルボとを屈曲可能な弾性体でそれぞれ形成し、前記エルボの両端と前記両連結用直管の他端とを硬質連結部材でそれぞれ接続するとともに、該硬質連結部材を、基礎面に対して移動可能な支持脚により支持したことを特徴とする免震住宅用管継手。
【請求項２】
前記連結用直管は、該連結用直管の下向への撓みを防止する補強部を有していることを特徴とする請求項１記載の免震住宅用管継手。
【発明の詳細な説明】
【技術分野】
【０００１】
本発明は、免震住宅用管継手に関し、詳しくは、耐震構造を備えた戸建住宅に設けられる排水管の接続に使用する免震住宅用管継手に関する。
【背景技術】
【０００２】
近年の戸建住宅では、基礎との間に耐震装置を介在させた免震住宅が注目されており、これに伴って排水管の系統にも免震構造が必要となる。この免震構造を有する配管構造として、平面方向の変位を吸収可能な排水可撓管を略Ｕ字状に配管したものが知られている（例えば、特許文献１参照。）。
【特許文献１】特開２００３−３１３９０８号公報
【発明の開示】
【発明が解決しようとする課題】
【０００３】
しかしながら、上述の配管構造では、多数の排水可撓管を必要とするだけでなく、これを略Ｕ字状に配置するため、配管全長が長くなり、配管スペースが増大して大幅なコストアップになるだけでなく、逆勾配が発生したり、管路詰まりが発生したりするおそれがあり、排水性能も損なわれてしまうという問題がある。
【０００４】
そこで本発明は、免震住宅に設置する排水管系統において、免震構造を採用する配管部分を最小限とし、排水管系統のほとんどに汎用の管材を用いることができる免震住宅用管継手を提供することを目的としている。
【課題を解決するための手段】
【０００５】
上記目的を達成するため、本発明の免震住宅用管継手は、基礎上に免震装置を介して支持された建物に設置されている水回り設備に接続された排水管と、基礎に配設された排水主管とを接続するための免震住宅用管継手において、一端が前記排水管に接続される排水管側連結用直管と、一端が前記排水主管に接続される排水主管接続側連結用直管と、両連結用直管の他端同士を接続するエルボとを屈曲可能な弾性体でそれぞれ形成し、前記エルボの両端と前記両連結用直管の他端とを硬質連結部材でそれぞれ接続するとともに、該硬質連結部材を、基礎面に対して移動可能な支持脚により支持したことを特徴とし、さらに、前記連結用直管が、該連結用直管の下方への撓みを防止する補強部を有していることを特徴としている。
【発明の効果】
【０００６】
本発明の免震住宅用管継手によれば、地震の際に免震装置上の建物が基礎に対して水平方向に移動したときに、弾性体で形成された２本の連結用直管とエルボとが弾性変形することで変位に対応し、排水管や排水主管に作用する引っ張り応力や曲げ応力を小さくすることができる。これにより、排水管や排水主管に汎用の管材を用いても、これらが破損することはない。また、連結用直管に補強部を設けて下方への撓みを防止することにより、良好な排水性能が得られる。
【発明を実施するための最良の形態】
【０００７】
図１は発明の免震住宅用管継手の一形態例を示す正面図、図２は平面図、図３は基礎に対して建物が水平方向に変位したときの継手の状態を示す平面図、図４は建物への設置状態を示す概略図である。
【０００８】
本形態例に示す免震住宅用管継手１１を設置する建物５１は、基礎５２と床下構造物５３との間に免震装置５４を備えており、地震によって地面と一緒に基礎５２が水平方向に揺れても、建物５１はほとんど揺れないように形成されている。なお、免震装置５４には、各種構造のものを使用することができ、水平方向の揺れを吸収する構造を有する免震装置ならば各種構造のものを使用することができるので、その詳細な説明は省略する。
【０００９】
免震住宅用管継手１１は、建物５１に設置されている水回り設備に接続され、建物側に固設された排水管１２を、基礎５２に固設された排水主管１３に接続するためのＬ字状管路を形成するもので、一端が前記排水管１２に接続される排水管側の連結用直管１４と、一端が前記排水主管１３に接続される排水主管接続側の連結用直管１５と、両連結用直管１４，１５の他端同士を接続するエルボ１６とを備えている。連結用直管１４，１５及びエルボ１６は、ゴム管等の弾性体で形成されており、連結用直管１４，１５の軸方向側面部には、管中央部が下方へ撓むことを防止する補強用の肉厚部１４ａ，１５ａが形成されている。
【００１０】
連結用直管１４，１５の他端とエルボ１６の両端とは、これらの各受口内に硬質連結部材（連結用コア）１７の両端をそれぞれ挿入し、受口外周をバンド１８ａ，１８ｂでそれぞれ締結することにより接続されている。さらに、バンド１８ａ，１８ｂ間の連結用コア１７には、高さ調節可能で基礎５２上に移動可能に接地する支持脚１９がそれぞれ取り付けられている。また、連結用直管１４の一端と排水管１２及び、連結用直管１５の一端と排水主管１３とは、連結用直管１４，１５の一端を、排水管１２及び排水主管１３の端部に被せ、バンド１８ｃ，１８ｄでそれぞれ締結することにより接続されている。
【００１１】
支持脚１９は、連結用コア１７を抱持する取付部材２０を介して連結用コア１７に取り付けられるもので、下端に接地部１９ａを有するジャッキボルト１９ｂと、該ジャッキボルト１９ｂに螺合する一対の固定ナット１９ｃ，１９ｃとで形成されており、取付部材２０に対する固定ナット１９ｃの締め付け位置を調節することにより、免震住宅用管継手１１の上下位置及び水平度を調節できるように形成されている。接地部１９ａの先端は球面状に形成され、接地部１９ａが、基礎５２の上面を円滑に移動できるようにしている。
【００１２】
連結用直管１４，１５及びエルボ１６は、排水管１２，排水主管１３に対応した口径のものが用いられ、連結用直管１４，１５の長さは、口径によっても異なるが、通常は、３０〜７０ｃｍで十分であり、エルボ１６の角度は９０度を基本とするが、他の角度であってもよい。
【００１３】
地震による大きな揺れが発生した場合、建物５１は免震装置５４によって水平方向の揺れ（横揺れ）が抑えられるので、建物５１と基礎５２とが相対的に水平方向に移動する状態となる。このとき、図３に示すように、免震住宅用管継手１１は、ゴム管で形成された両連結用直管１４，１５とエルボ１６とが弾性変形することにより変位に対応し、排水管１２や排水主管１３に大きな引っ張り応力や曲げ応力が作用することがない。
【００１４】
このように、免震住宅用管継手１１が弾性変形して変位に対応することにより、排水管１２や排水主管１３に一般的な管材を使用することができ、管材に要するコストや施工コストを大幅に削減することができる。また、連結用直管１４，１５に補強用の肉厚部１４ａ，１５ａを形成することにより、連結用直管１４，１５内を排水が通過する際に、連結用直管が下方に撓んで排水性が損なわれたり、管路詰まりが発生するおそれがなく、良好な排水性能が得られる。さらに、免震住宅用管継手１１の全長を１ｍ程度にできるので、従来の略Ｕ字状のものに比べて配管スペースを小さくでき、コストダウンが図れるとともに、逆勾配や管路詰まりが発生するおそれもほとんどなくなる。
【図面の簡単な説明】
【００１５】
【図１】本発明の一形態例を示す免震住宅用管継手の正面図である。
【図２】同じく平面図である。
【図３】同じく基礎に対して建物が水平方向に変位したときの継手の状態を示す平面図である。
【図４】同じく建物への設置状態を示す概略図である。
【符号の説明】
【００１６】
１１…免震住宅用管継手、１２…排水管、１３…排水主管、１４，１５…連結用直管、１４ａ，１５ａ…肉厚部、１６…エルボ、１７…連結用コア、１８ａ，１８ｂ…バンド、１９…支持脚、１９ａ…接地部、１９ｂ…ジャッキボルト、１９ｃ…固定ナット、２０…取付部材、５１…建物、５２…基礎、５３…床下構造物、５４…免震装置
【図１】
2006322194.tif 000003
【図２】
2006322194.tif 000004
【図３】
2006322194.tif 000005
【図４】
2006322194.tif 000006